(57)【要約】      （修正有）【課題】転倒防止することが可能なスタンドを提供する。【解決手段】スタンド本体の台座に回転部を設けて、前期回転部から連結された先端にストッパーを設けたフック状の脚を備えることで、フック状の部分を机のへりに固定することができ、重量や大きさがあるボードでもしっかりと固定することが可能になる。本発明は、スタンド本体の台座に回転体を設けて、前記回転部に連結され、かつ先端にストッパーを設けたフック状の脚があり、そのフック状の脚の部分を机のヘリに固定し、転倒防止することが可能な構造を設けたものである。【選択図】図１
2019063445.tif 000002
【特許請求の範囲】
【請求項１】
スタンド本体の台座に回転部を設けて、前記回転部に連結され、かつ先端にストッパーを設けたフック状の脚を供えることを特徴とするスタンド。
【請求項２】
スタンド本体の台座に回転部を設けて、前記回転部に連結され、かつストッパーとしての役割をする弾力素材で構成されるフック状の脚を供えることを特徴とするスタンド。
【請求項３】
両サイドの台座と前記台座の間に設けた背面板２枚が折りたたみ可能な構造を持つスタンド本体と、前記台座に設けられた回転部に連結されたフック状の脚を備えることを特徴とするスタンド。
【請求項４】
両サイドの下段台座と前記下段台座の間に設けた背面板２枚が折りたたみ手段を有する下段部と、前記下段台座の正面上側に回転部Ａを設けて上段台座があり、両サイドの上段台座と前記上段台座の間に設けた背面板２枚が折りたたみ手段を有する上段部と、上段と下段は向き合うように折りたたみ手段を有する構造とを持つスタンド本体と、前記下段台座に設けられた回転部Ｂに連結させたフック状の脚を備えることを特徴とするスタンド。
【発明の詳細な説明】
【技術分野】
【０００１】
この発明は、卓上でボードを立てる際に使用するスタンドに関するものである。
【背景技術】
【０００２】
ブックスタンドは、数冊立てかけるシェルフタイプ・飾るタイプ・見開いて飾るタイプがある。また、ボードスタンドは、イーゼルタイプ・L字タイプ・看板タイプ・卓上タイプなど様々な形状が知られている。
従来品として特許文献１に示される先行技術であるスタンドは、体位をどのようにしても、書籍が落下しないようにしように、屈曲自在なアームと、アームをベッドのフレーム、机などに固定する固定具等から構成されている。
【先行技術文献】
【特許文献】
【０００３】
【特許文献１】特願２００３−３７４９７６
【特許文献２】意願２００１−２８８４６
【発明の概要】
【発明が解決しようとする課題】
【０００４】
特許文献１に示される先行技術であるスタンドは、書物専用のタイプであり、展示用のボートとしては最適な形状ではない。同じく書物専用のタイプのスタンドで、クリップで机に固定するタイプもあるが、特許文献１と同様な問題がある。また、固定したクリップは持ち手部分の長さ分、机と机、もしくは、壁との間に隙間ができてしまう欠点があった。
【０００５】
特許文献２に示される先行技術である折りたたみスタンドは、脚を開いた状態で机に配置し、ボードを立て掛ける仕様であり、収納状態では脚を折りたたむことができる。しかし、使用時、脚を開く形状の為、負荷がその脚に集中するため、重みがかかると後ろへ転倒しやすいので、重量や大きさがあるボードはしっかり固定することが難しい。
本発明は、以上の問題を解決するためになされたものである。
【課題を解決するための手段】
【０００６】
第一の本発明は、スタンド本体の台座に回転体を設けて、前記回転部に連結され、かつ先端にストッパーを設けたフック状の脚があり、そのフック状の脚の部分を机のヘリに固定し、転倒防止することが可能な構造を設けたものである。
【０００７】
第二の本発明は、スタンド本体の台座に回転部を設けて、前記回転部に連結され、かつストッパーとしての役割をする弾力素材で構成されるフック状の脚があり、そのフック状の脚の部分を机のヘリに固定し、転倒防止することが可能な構造を設けたものである。
【０００８】
第三の本発明は、両サイドの台座と前記台座の間に設けた背面板２枚が折りたたみ可能な構造を持つスタンド本体と、前記台座に設けられた回転部に連結されたフック状の脚を備え、そのフック状の脚の部分を机のヘリに固定し、転倒防止することが可能な構造を設けたものである。
【０００９】
第四の本発明は、両サイドの下段台座と前記下段台座の間に設けた背面板２枚が折りたたみ手段を有する下段部と、前記下段台座の正面上側に回転部Ａを設けて上段台座があり、両サイドの上段台座と前記上段台座の間に設けた背面板２枚が折りたたみ手段を有する上段部と、上段と下段は向き合うように折りたたみ手段を有する構造とを持つスタンド本体と、前記下段台座に設けられた回転部Ｂに連結させたフック状の脚フック状の脚を備え、そのフック状の脚の部分を机のヘリに固定し、転倒防止することが可能な構造を設けたものである。
【発明の効果】
【００１０】
本発明において大きく分けて３つの効果が期待できる。
１つ目は、机に固定する際の脚の厚み・構造から発生する机と机、机と壁の隙間は、フック状の脚の厚さのみであり、１ｃｍ以内の隙間にすることが可能な
効果を持つ。
２つ目は、本発明では、脚部分がフック状なので、机のヘリに固定する為の差し込むことが可能な為、しっかりと固定でき、転倒する心配がない。
３つ目は、机に固定することができる為、強い負荷に耐えることができ、コンパクトの形状ながら大きいボードや重みがあるボードにも、対応できる効果を持つ。
【図面の簡単な説明】
【００１１】
【図１】本発明の実施例１の右面図
【図２】本発明の実施例１の正面斜面図
【図３】本発明の実施例１の背面斜面図
【図４】本発明の実施例１の使用状態説明図
【図５】本発明の実施例２の机に固定した使用状態説明図
【図６】本発明の実施例２の展示用の壁パネルに固定した使用状態説明図
【図７】本発明の実施例２の机の上に配置した使用状態説明図
【図８】本発明の実施例３の正面斜面図
【図９】本発明の実施例３の変形させた正面斜面図
【図１０】本発明の実施例３のフック状の脚の回転イメージ図
【図１１】本発明の実施例３の厚さ調節イメージ図
【図１２】本発明の実施例３の机に固定した使用状態説明図
【図１３】本発明の実施例３の展示用の壁パネルに固定した使用状態説明図
【図１４】本発明の実施例４の正面斜面図
【図１５】本発明の実施例４の背面斜面図
【図１６】本発明の実施例４の正面図
【図１７】本発明の実施例４のパーツを収納した状態の正面図
【図１８】本発明の実施例４の右面図
【図１９】本発明の実施例４のパーツを収納した状態の右面図
【図２０】本発明の実施例４のパーツを収納した状態の右面断面図
【図２１】本発明の実施例４の使用状態説明図
【図２２】本発明の実施例５の正面斜面図
【図２３】本発明の実施例５の背面斜面図
【図２４】本発明の実施例５の正面図
【図２５】本発明の実施例５のパーツを収納した状態の正面図
【図２６】本発明の実施例５の右面図
【図２７】本発明の実施例５のパーツを収納した状態の右面図
【図２８】本発明の実施例５のパーツを収納した状態の右面断面図
【図２９】本発明の実施例５の使用状態説明図
【発明を実施するための形態】
【実施例１】
【００１２】
本実施例の形態を図１〜４に基づいて説明する。
【００１３】
本発明は、スタンド本体の台座（１）の背面に回転部（２）を設けて、回転部（２）から連結されたフック状の脚（３）があり、フック状の脚（３）先端にストッパー（４）を設けて脚部（５）を構成するスタンドである。
【００１４】
フック状の脚（３）は、曲線ラインのU字型、または、直角タイプのコ字型の形状であり、アルミやスチールなどの金属製、もしくは、弾力性のあるシリコン・ゴム・ラバー・プラステックの素材で構成される。また、台座（１）の背面の中央に配置、もしくは、台座（１）の背面の両端に配置する。両端から台座（１）と連結したフック状の脚（３）は各々独立、もしくは、先端部分が連結して構成される。
【００１５】
ストッパー（４）は、フック状の脚（３）の先端に付属されてあるか、弾力性のある素材で構成されたフック状の脚（３）と一体化された形状がある。ストッパーの形状は、フック状の脚（３）の内部に凹凸を持つ形状であり、山形・四角い凹凸・波状・ギザギザ状など構造はいずれでも可能な形状であり、特に特定しない。ストッパー（４）の素材は、フック状の脚（３）と別の材料で構成される場合は、弾力性のあるシリコン・ゴム・ラバー・プラステックの素材で構成される。また、ストッパー（４）は、フック状の脚と机を固定するのみではなく、フック状の脚（３）の幅と机の幅の差からなる隙間の調節をする役割をする。フック状の脚（３）の幅と机の幅の差からなる隙間の調節に、より幅広く机の厚みや薄い厚みの机に対応する形状を設ける場合、ストッパー（４）をネジやボルトと一体化させ、ネジやボルトを用いて隙間を調節することが可能である。
【００１６】
フック状の脚（３）を、机のヘリに固定することができるスタンドで、重みがあるボードや書籍などでも固定することが可能な形態である。また、フック状の脚（３）の脚は、台座と回転部分で連結する為、収納時は台座（１）を回転部に収納することが可能である。
【００１７】
机（１６）に固定する際の脚の厚み・構造から発生する机と机、机と壁の隙間は、フック状の脚（３）の厚さのみであり、１ｃｍ以内の隙間にすることが可能な効果を持つ。脚部分がフック状なので、机（１６）のヘリに固定する為の差し込むことが可能な為、しっかりと固定でき、転倒する心配がない。机（１６）に固定することができる為、強い負荷に耐えることができ、コンパクトの形状ながら大きいボード（１７）や重みがあるボード（１７）にも、対応できる効果を持つ。
【実施例２】
【００１８】
図５〜７は、台座の形状をL字型とした場合の本実施例１の形態を説明する。
【００１９】
スタンド本体の台座（１）の背面に回転部（２）を設けて、回転部（２）から連結されたフック状の脚（３）があり、フック状の脚（３）先端にストッパー（４）を設けて脚部（５）を構成して（本発明の実施例１の形状）、スタンドの台座部の形をL字型の構造のスタンドである。
【００２０】
フック状の脚（３）を回転させ、角度を変化させることで、図５の机（１６）のヘリに固定する使用方法だけではなく、他に２つの使用方法が展開できる。図６のように、フック状の脚（３）を収納状態から、フック状の脚（３）の先端の一部分のみを台座（１）の後ろ側に覗かせるようにさせて、展示用壁板（１８）に固定することが可能である。また、その状態から、台座（１）を正面側に傾け机の上に設置すると、図７ように本（１５）を見開いて設置も可能なブックスタンドとして利用する効果を持つ。
【００２１】
机（１６）に固定する際の脚の厚み・構造から発生する机と机、机と壁の隙間は、フック状の脚（３）の厚さのみであり、１ｃｍ以内の隙間にすることが可能な効果を持つ。脚部分がフック状なので、机（１６）のヘリに固定する為の差し込むことが可能な為、しっかりと固定でき、転倒する心配がない。机（１６）に固定することができる為、強い負荷に耐えることができ、コンパクトの形状ながら大きいボード（１７）や重みがあるボード（１７）にも、対応できる効果を持つ。
【実施例３】
【００２２】
図８〜１３は、フック状の脚と台座に機能を兼ね備えた場合の本実施例１の形態を説明する。
【００２３】
本発明は、スタンド本体の台座（１）の背面に回転部（２）を設けて、回転部（２）から連結されたフック状の脚（３）がある。フック状の脚（３）は、先端にストッパー（４）を設けて脚部（５）を構成し、幅広の形状で、フック状の脚（３）を台座（１）の背面に合わさるように回転させたとき、フック状の脚（３）と台座（１）の背面に合わさる部分に２つのパーツが合わさるように留め具（１２）を兼ね備えた構造である。また、台座（１）の凹み部分に厚さ調整（１３）を設け、開閉凹凸（１４）を一体とさせた構造から構成されるスタンドである。
【００２４】
とめ具（１２）は、磁石・凹凸などの組み合わせで固定できる形状の留め具・スライド留め具があげられる。
【００２５】
厚さ調整（１３）は、バネが内蔵され押し返す力を利用した形状、もしくは、ネジが内蔵され幅を調節することにより厚さ調節する構造を持つ。
【００２６】
図１０のようにフック状の脚を回転させることにより、使用目的を変える効果を持つ。フック状（３）の脚を台座（１）に合わせた形状（基準０°）では、コンパクトな収納形態可能である。収納時から９０°回転させると机（１６）のへりに固定する形態に変化する。収納時から１８０°回転させて展示用壁板（１８）に固定することが可能である。
【００２７】
机（１６）に固定する際の脚の厚み・構造から発生する机と机、机と壁の隙間は、フック状の脚（３）の厚さのみであり、１ｃｍ以内の隙間にすることが可能な効果を持つ。脚部分がフック状なので、机（１６）のヘリに固定する為の差し込むことが可能な為、しっかりと固定でき、転倒する心配がない。机（１６）に固定することができる為、強い負荷に耐えることができ、コンパクトの形状ながら大きいボード（１７）や重みがあるボード（１７）にも、対応できる効果を持つ。
【実施例４】
【００２８】
図１４〜２１は、一段タイプのフレームに設置した場合の本実施例１の形態を説明する。
【００２９】
本発明の実施例１の脚部（５）の形状を持つ折りたたみ式のスタンドで、両サイドの台座（１）と台座（１）の間に設けた背面板（７）２枚が折りたたみ可能な構造を持つスタンド本体と、台座（１）に設けられた回転部（２）に連結されたフック状の脚（３）を備えることを特徴とする構造から構成される。
【００３０】
背面板（７）が半分に折りたたむことが可能なので左右ある台座（６）と、ほぼ同じサイズにすることができ、コンパクトに収納できる効果を持つ。
【００３１】
机（１６）に固定する際の脚の厚み・構造から発生する机と机、机と壁の隙間は、フック状の脚（３）の厚さのみであり、１ｃｍ以内の隙間にすることが可能な効果を持つ。脚部分がフック状なので、机（１６）のヘリに固定する為の差し込むことが可能な為、しっかりと固定でき、転倒する心配がない。机（１６）に固定することができる為、強い負荷に耐えることができ、コンパクトの形状ながら大きいボード（１７）や重みがあるボード（１７）にも、対応できる効果を持つ。
【実施例５】
【００３２】
図２２〜２９は、二段タイプのフレームに設置した場合の本実施例１の形態を説明する。
【００３３】
本発明の実施例１の脚部（５）の形状を持つ折りたたみ式の２段スタンドで、
両サイドの下段台座（８）と前記下段台座（８）の間に設けた背面板（７）２枚が折りたたみ手段を有する下段部と、下段台座（８）の正面上側に回転部Ａ（１０）を設けて、上段台座（９）があり、両サイドの上段台座（９）と上段台座（９）の間に設けた背面板２枚が折りたたみ手段を有する上段部があり、上段と下段は向き合うように折りたたみ手段を有する構造とを持つ台座（１）である。
下段台座（８）に設けられた回転部Ｂ（１１）に連結させたフック状の脚（３）を備える構造から構成される。
【００３４】
上段の台座（９）と下段の台座（８）は回転部Ａ（１０）より、向き合うように回転して折りたたむことが可能である。
【００３５】
２段の構造を持ちながら、コンパクトに収納できる効果を持つ。
【００３６】
机（１６）に固定する際の脚の厚み・構造から発生する机と机、机と壁の隙間は、フック状の脚（３）の厚さのみであり、１ｃｍ以内の隙間にすることが可能な効果を持つ。脚部分がフック状なので、机（１６）のヘリに固定する為の差し込むことが可能な為、しっかりと固定でき、転倒する心配がない。机（１６）に固定することができる為、強い負荷に耐えることができ、コンパクトの形状ながら大きいボード（１７）や重みがあるボード（１７）にも、対応できる効果を持つ。
【符号の説明】
【００３７】
１台座
２回転部
３フック状の脚
４ストッパー
５脚部
６台座
７背面板
８下段台座
９上段台座
１０回転部Ａ
１１回転部B
１２留め具
１３厚さ調節
１４開閉凹凸
１５本
１６机
１７ボード
１８展示用壁板
【図１】
2019063445.tif 000003
【図２】
2019063445.tif 000004
【図３】
2019063445.tif 000005
【図４】
2019063445.tif 000006
【図５】
2019063445.tif 000007
【図６】
2019063445.tif 000008
【図７】
2019063445.tif 000009
【図８】
2019063445.tif 000010
【図９】
2019063445.tif 000011
【図１０】
2019063445.tif 000012
【図１１】
2019063445.tif 000013
【図１２】
2019063445.tif 000014
【図１３】
2019063445.tif 000015
【図１４】
2019063445.tif 000016
【図１５】
2019063445.tif 000017
【図１６】
2019063445.tif 000018
【図１７】
2019063445.tif 000019
【図１８】
2019063445.tif 000020
【図１９】
2019063445.tif 000021
【図２０】
2019063445.tif 000022
【図２１】
2019063445.tif 000023
【図２２】
2019063445.tif 000024
【図２３】
2019063445.tif 000025
【図２４】
2019063445.tif 000026
【図２５】
2019063445.tif 000027
【図２６】
2019063445.tif 000028
【図２７】
2019063445.tif 000029
【図２８】
2019063445.tif 000030
【図２９】
2019063445.tif 000031